(57)【要約】【課題】背面板を取外したり、棚板の前後寸法を大としたりすることなく、前後寸法の大きな商品でも支障なく陳列しうるようにする。【解決手段】左右１対の支柱４の前面に棚板１０を設けてなる商品陳列棚において、棚板１０の上方における左右の支柱４の対向面同士を、上下１対の横連結杆５により互いに連結するとともに、上下の横連結杆５の対向面に設けた左右方向を向くガイド溝間に、左右寸法が左右の支柱４の対向面間の寸法よりも小寸をなす背面板１８を、左右方向に移動可能に装着する。【選択図】        図１
2004283190.tif 000002
【特許請求の範囲】
【請求項１】
左右１対の支柱の前面に棚板を設けてなる商品陳列棚において、前記棚板の上方における左右の支柱の対向面同士を、上下１対の横連結杆により互いに連結するとともに、前記上下の横連結杆の対向面に設けた左右方向を向くガイド溝間に、左右寸法が前記左右の支柱の対向面間の寸法よりも小寸をなす背面板を、左右方向に移動可能に装着したことを特徴とする商品陳列棚。
【請求項２】
上下のガイド溝間に、左右寸法が左右の支柱間の寸法のほぼ１／（Ｎ＋１）としたＮ枚（但しＮ；整数）の背面板を装着してなる請求項１記載の商品陳列棚。
【請求項３】
上下のガイド溝を前後に複数列設け、それらの上下に対向するガイド溝間に、左右寸法が左右の支柱の対向面間の寸法よりも小寸をなす背面板を装着した請求項１または２記載の商品陳列棚。
【請求項４】
背面板を格子状部材により形成した請求項１〜３のいずれかに記載の商品陳列棚。
【請求項５】
背面板を透光性パネルとしてなる請求項１〜３のいずれかに記載の商品陳列棚。
【請求項６】
背面板を、前面側を格子状部材とし、かつ後面側を透光性パネルとした前後二重構造としてなる請求項１〜３のいずれかに記載の商品陳列棚。
【請求項７】
透光性パネルを、透明または半透明パネル、多孔パネルのいずれかとした請求項５または６記載の商品陳列棚。
【発明の詳細な説明】
【０００１】
【発明の属する技術分野】
本発明は、例えば店舗や展示会等において商品の販売促進用などとして使用される商品陳列棚に関する。
【０００２】
【従来の技術】
従来の商品陳列棚としては、左右に隣接する支柱間の前面に、複数段の棚板を設けるとともに、両支柱間の最上部に、上部が前傾する表示板や表示体を取付け、棚板上に陳列した商品の名称や種類などを表示しうるようにしたものがある（例えば、特許文献１、２参照）。
【０００３】
【特許文献１】
特開２００２−９５５５８号公報
【特許文献２】
特許第３１１４０９４号公報
【０００４】
【発明が解決しようとする課題】
上記特許文献１および２に記載されているような商品陳列棚においては、図示は省略されているが、互いに隣接する支柱間に背面板を取付け、棚板上に陳列した商品が後方より落下するのを防止するとともに、見栄えを向上するようにしているのが一般的である。
【０００５】
このような背面板を有する商品陳列棚では、例えば、テレビやＯＡ機器のディスプレイ等、前後寸法の大きい商品を棚板上に陳列しようとすると、棚板の前後寸法も大としなければならず、商品陳列棚が大型でかつ重量物になってしまう。
【０００６】
この問題をなくすために、背面板を取外すことも考えられるが、このようにすると、背面板の着脱作業が面倒となるとともに、前後寸法がそれ程大きくない商品や小物品等を同時に陳列する場合に、商品陳列棚の見栄えを悪くしたり、小物品を後方に落下させたりする。
【０００７】
本発明は、従来の技術が有する上記のような問題点に鑑み、背面板を取外したり、棚板の前後寸法を大としたりすることなく、前後寸法の大きな商品でも支障なく陳列しうるようにし、陳列棚の小型化と見栄えを向上させうるようにした商品陳列棚を提供することを目的としている。
【０００８】
【課題を解決するための手段】
本発明によると、上記課題は、次のようにして解決される。
（１）左右１対の支柱の前面に棚板を設けてなる商品陳列棚において、前記棚板の上方における左右の支柱の対向面同士を、上下１対の横連結杆により互いに連結するとともに、前記上下の横連結杆の対向面に設けた左右方向を向くガイド溝間に、左右寸法が前記左右の支柱の対向面間の寸法よりも小寸をなす背面板を、左右方向に移動可能に装着する。
【０００９】
（２）上記（１）項において、上下のガイド溝間に、左右寸法が左右の支柱間の寸法のほぼ１／（Ｎ＋１）としたＮ枚（但しＮ；整数）の背面板を装着する。
【００１０】
（３）上記（１）または（２）において、上下のガイド溝を前後に複数列設け、それらの上下に対向するガイド溝間に、左右寸法が左右の支柱の対向面間の寸法よりも小寸をなす背面板を装着する。
【００１１】
（４）  上記（１）〜（３）項のいずれかにおいて、背面板を格子状部材により形成する。
【００１２】
（５）  上記（１）〜（３）項のいずれかにおいて、背面板を透光性パネルとする。
【００１３】
（６）上記（１）〜（３）項のいずれかにおいて、背面板を、前面側を格子状部材とし、かつ後面側を透光性パネルとした前後二重構造とする。
【００１４】
（７）上記（５）または（６）項において、透光性パネルを、透明または半透明パネル、多孔パネルのいずれかとする。
【００１５】
【発明の実施の形態】
以下、本発明の実施形態を、図面に基づいて説明する。
図１は、本発明の商品陳列棚の第１の実施形態を示す正面図、図２は、同じく後面図、図３は、同じく側面図である。
【００１６】
商品陳列棚のフレーム（１）は、前後両端部（以下、図３の左方を前として説明する）の下面にキャスタ（２）（２）が取付けられた左右１対の前方を向くベース脚（３）（３）と、それらの後端上面に立設された左右１対の長寸の支柱（４）（４）と、両支柱（４）の上端、中間部及び下端部の対向面同士を連結している横連結杆（５）とからなる下部フレーム（６）と、この下部フレーム（６）の上端に、若干前傾させて固着された枠状の上部フレーム（７）とからなり、上部フレーム（７）の枠内には、商品名や宣伝広告用の表示板（８）が取付けられている。
【００１７】
下部フレーム（６）における中間部と下端の横連結杆（５）（５）と、左右の支柱（４）とにより囲まれた空間には、背面板であるパンチングパネル（９）が取付けられている。
【００１８】
下部フレーム（６）の中間部における左右の支柱（４）（４）間の前面には、平板の周囲を枠板により囲繞してなる棚板（１０）が、両支柱（４）の前面に固着された前方を向く１対のブラケット（１１）（１１）より支持されている。
【００１９】
下部フレーム（６）の下端の前部には、左右のベース脚（３）と、その前端に立設された１対の垂直杆（１２）と、両垂直杆（１２）の上端と両支柱（４）の前面間に結合された１対の水平杆（１３）とにより、平面視方形枠状の枠体（１４）が形成され、その上面と枠体（１４）内には、平板の周囲を枠板により囲繞してなる商品載置板（１５）（１５）が、図示しないガイドレールやローラ等のガイド手段により、前方にスライド可能に載置されている。
【００２０】
（１６）は、下段の商品載置板（１５）の前端部下面に折り畳み可能に上端が枢着された補助脚である。
【００２１】
枠体（１３）の左右両側面の開口は、パンチングメタルよりなる側板（１７）により閉塞されている。
【００２２】
上端と、棚板（１０）とほぼ等高をなす中間部との横連結杆（５）（５）の対向面間には、複数（本実施形態では２枚）の移動背面板（１８）（１８）が、次のようにして取付けられている。
【００２３】
各移動背面板（１８）は、図４及び図５に示すように、縦長矩形の枠状フレーム（１９）の枠内に、格子状部材であるワイヤネット（２０）を、フレーム（１９）の前面とほぼ整合するように張設するとともに、枠状フレーム（１９）の後面に、多孔パネルであるパンチングパネル（２１）を、ワイヤネット（２０）との間に所要の空間が形成されるように固着して構成され、その左右寸法（Ｗ）は、例えば左右の支柱（４）間の寸法をＬ（図１参照）とし、その間にＮ枚（但しＮは整数）の移動背面板（１８）を装着しようとする際、ほぼＬ／（Ｎ＋１）とするのが好ましい。すなわち、２枚の移動背面板（１８）を装着する際、それらの左右寸法（Ｗ）は、ほぼＬ／３となり、左右の支柱（４）間に移動背面板（１８）１枚分の開口が形成される。
【００２４】
図６に示すように、上端の横連結杆（５）の下面中央部には、側面視倒立Ｌ字状をなす前後１対の保持片（２２ａ）よりなる上部ガイドレール（２２）が、左右方向に全長に亘って固着され、対向する下向片（２２ｂ）間はガイド溝（２３）となっている。
【００２５】
また、中間部の横連結杆（５）の上面には、側面視上向コ字状断面をなす下部ガイドレール（２４）が、上部ガイドレール（２２）と対向状に固着されている。
【００２６】
上部ガイドレール（２２）のガイド溝（２３）の幅及び深さは、下部ガイドレール（２４）のガイド溝の幅及び深さよりも大とされ、移動背面板（１８）の着脱を容易としている。すなわち、上下のガイドレール（２２）（２４）間に移動背面板（１８）を装着するには、図６の２点鎖線に示すように、移動背面板（１８）を若干後傾させた状態で、まず枠状フレーム（１９）の上部の横杆（１９ａ）を、上部ガイドレール（２２）のガイド溝（２３）内に挿入したのち、押し上げた状態のまま、後方に回動させ、下部の横杆（１９ｂ）を下部ガイドレール（２４）のガイド構内に落とし込めばよい。
【００２７】
これにより、移動背面板（１８）は、上下の横連結杆（５）間において、上下のガイドレール（２２）（２４）に案内されて左右方向に移動させることができる。
【００２８】
上記第１の実施形態の商品陳列棚においては、棚板（１０）の直上における上下の横連結杆（５）の間に、左右寸法（Ｗ）が、両支柱（４）間の寸法のほぼ１／３の２枚の移動背面板（１８）を、上下のガイドレール（２２）（２４）により左右方向にスライドさせうるように装着し、後面に、移動背面板（１８）１枚分の開口が形成されるようにしている。そのため、例えばテレビやＯＡ機器のディスプレイ等、後部が大きく突出する商品、又は棚板（１０）の前後寸法よりも大きな商品でも、後端部を開口より後方に突出させることにより、棚板（１０）上に支障なく陳列することができる。
【００２９】
また、背面板（１８）をスライドされば、開口位置が左右方向にずれるので、商品の陳列位置が固定されることもない。
さらに、開口を通して商品の対面販売を行うこともできる。
【００３０】
背面板（１８）の前面にはワイヤネット（２０）が張設されているので、これにフックを係止するなどして、小物品を陳列することができるだけでなく、後面に取付けたパンチングパネル（２１）より光が透過するので、棚板（１０）の後部やワイヤネット（２１）に陳列した商品に光が当たり、陳列効果が高まる。
【００３１】
商品によっては、開口を通して後部側を容易に観察することができる。
【００３２】
図７及び図８は、本発明の第２の実施形態を示すもので、上下の横連結杆（５）（５）の対向面に、上部ガイドレール（２２）と下部ガイドレール（２４）を、前後２列ずつ対向状に取付け、各レール（２２）（２４）の対向面間に、上述と同様の背面板（１８）を、１枚ずつ左右方向にスライド可能に装着してある。パンチングパネル（２１）の枠状フレーム（１９）の後面よりの突出寸法は、上述のものより小としてある。
【００３３】
このように、２枚の背面板（１８）を、障子戸のように前後位置を異ならせて設けると、前後の背面板（１８）を互いに反対方向に両側端まで移動すると、それらの対向面間に背面板１枚分の開口が形成され、また前後の背面板（１８）を共に左右いずれか一方の側端まで移動すると、左右いずれか一方に、背面板２枚分の大きな開口を形成することができる。
【００３４】
さらに、前後の背面板（１８）同士を適宜に重合させれば、開口の大きさを自由に変えることもできる。従って、陳列商品の種類の選択幅が広がる。
【００３５】
なお、この実施形態においては、背面板（１８）の左右寸法を、左右の支柱（４）間の寸法のほぼ半分とし、各背面板（１８）を側端まで、反対方向に移動させたとき、開口が形成されないようにすることもできる。
【００３６】
上下のガイドレール（２２）（２４）を前後３列とし、各レールの対向面間に、背面板（１８）を１枚ずつ装着することもある。
【００３７】
上記第１、第２の実施形態において、背面板（１８）は、枠状フレーム（１９）内の前面側にワイヤネット（２０）を張設し、後面側には、パンチングパネル（２１）を取付けて、前後二重構造としたが、ワイヤネット（２０）またはパンチングパネル（２１）を省略した一重構造のものとしてもよい。
また、パンチングパネル（２１）の代わりに、網状パネル、格子状パネル、透明又は半透明のガラスパネルもしくは樹脂パネル等を用いてもよい。
【００３８】
さらに、上記第１、第２の実施形態においては、左右の支柱（４）と上下１対の横連結杆（５）間の全開口に対して、２枚の背面板（１８）を移動可能に設けたが、その全開口の一部をパンチングパネル等により固定して閉塞し、閉塞部以外の開口部に、その左右寸法より小幅の背面板を移動可能に設けてもよい。
【００３９】
【発明の効果】
請求項１記載の発明によると、左右寸法が左右の支柱の対向面間よりも小寸の背面板を上下のガイド溝に移動可能に装着したので、棚の背面を適宜に開口させて、その開口部より商品の後部を突出させて棚板上に陳列することができる。従って奥行きの大きな商品でも、前後寸法の大きな棚板を用いることなく、容易に陳列することができ、棚の小型化が図れる。
また商品によっては、後部側の観察も容易となるとともに、開口部を介して客との対面販売を行うことができる。
さらに、前後寸法の小さい商品は、背面板の前方の棚板上に陳列しうるので、商品が後方より落下したり、商品陳列棚の見栄えを損ねたりすることがない。
【００４０】
請求項２記載の発明によると、複数の背面板を装着しても、必ずほぼ背面板１枚分の開口を形成することができるので、例えば、テレビ等の後部突出部の大きい商品でも、支障なく陳列することができ、
【００４１】
請求項３記載の発明によると、前後の背面板を左右に移動させることにより、開口の位置や大きさを自在に変えることができ、陳列商品の選択幅が広がるとともに、陳列効果を高めうる。
【００４２】
請求項４記載の発明によると、格子状部材によりなる背面板に、アクセサリ等を引掛けて小物品を陳列することができる。
【００４３】
請求項５記載の発明によると、棚の後方の光りが、透光性パネルを透過して棚板上の商品の後部を明るく照らすので、商品の陳列効果が高まる。
【００４４】
請求項６記載の発明によると、前面側の格子状部材にアクセサリ等を介して陳列した商品の後部側が、後面側の透光性パネルを透過した光により明るく照らされるので、その陳列効果が大となる。また、背面板の強度を高めることができる。
【００４５】
請求項７記載の発明によると、背面板の見栄えが向上するとともに、これを、二重構造とした背面板に用いると、その強度がより高まる。
【図面の簡単な説明】
【図１】本発明の第１の実施形態の正面図である。
【図２】同じく、背面図である。
【図３】同じく、側面図である。
【図４】同じく、背面板の正面図である。
【図５】図４のＶ−Ｖ線の縦断側面図である。
【図６】図１のＶＩ−ＶＩ線の拡大縦断側面図である。
【図７】本発明の第２の実施形態の商品陳列棚における図６と同部位の拡大縦断側面図である。
【図８】図７のＶＩＩＩ−ＶＩＩＩ線の横断平面図である。
【符号の説明】
（１）フレ−ム
（２）キャスタ
（３）ベース脚
（４）支柱
（５）横連結杆
（６）下部フレーム
（７）上部フレーム
（８）表示板
（９）パンチングパネル
（１０）棚板
（１１）ブラケット
（１２）垂直杆
（１３）水平杆
（１４）枠体
（１５）商品載置板
（１６）補助脚
（１７）側板
（１８）移動背面板（背面板）
（１９）枠状フレーム
（２０）ワイヤネット（格子状部材）
（２１）パンチングパネル（多孔パネル）
（２２）上部ガイドレール
（２２ａ）保持片
（２３）ガイド溝
（２４）下部ガイドレール（ガイド溝）
【図１】
2004283190.tif 000003
【図２】
2004283190.tif 000004
【図３】
2004283190.tif 000005
【図４】
2004283190.tif 000006
【図５】
2004283190.tif 000007
【図６】
2004283190.tif 000008
【図７】
2004283190.tif 000009
【図８】
2004283190.tif 000010